(57)【要約】【課題】容易に組み立てと解体保管が行える組立式のエピデミック対策用パーティションを提供する。【解決手段】本考案のパーティションは、少なくとも１本の接続ロッド１と、少なくとも１枚のパーティション板２と、パーティション板２の側辺に装設されている少なくとも１つの弾性締結部３と、接続ロッド１の上端に取り付けられている少なくとも１つのプラグ４と、を備えている。接続ロッド１のロッド体には接続ロッド１の軸心方向に向けて凹設されている嵌合溝１１が設けられ、少なくとも１つの弾性締結部３によりパーティション板２の少なくとも１つの側辺を固定する。弾性締結部を嵌合溝１１中に装入し、プラグ４を接続ロッド１の上端に取り付けることにより、エピデミック対策空間を容易に組み立て可能となり、且つ組み立てが簡単である。解体して保管するのに必要な空間が少なく済み、輸送にかかるコストも低く、実用性に優れ、産業上の経済効果が高い。【選択図】図６
0003234331.tif 000002
【実用新案登録請求の範囲】
【請求項１】
少なくとも１本の接続ロッドと、少なくとも１枚のパーティション板と、前記パーティション板の側辺に装設されている少なくとも１つの弾性締結部と、前記接続ロッドの上端に取り付けられている少なくとも１つのプラグと、を備えるエピデミック対策用のパーティションであって、
前記接続ロッドのロッド体には前記接続ロッドの軸心方向に向けて凹設されている少なくとも１つの嵌合溝が設けられ、前記接続ロッドのロッド体は軸心が中空であり、
前記弾性締結部は開口状スロットを有し、前記弾性締結部の底部の幅は前記弾性締結部の頂部の幅より広く、
前記プラグの下端に形成された支持部は、前記接続ロッドの中空のロッド体の上端口を塞ぎ、前記プラグの外径は前記接続ロッドの外径以上であることを特徴とするパーティション。
【請求項２】
前記接続ロッドの前記嵌合溝の開口部の間隔は、前記接続ロッドの前記嵌合溝の底部の間隔より狭いことを特徴とする請求項１に記載のパーティション。
【請求項３】
前記弾性締結部の底部の幅は、前記接続ロッドの前記嵌合溝の底部の間隔以上であり、
前記弾性締結部の頂部の幅は、前記接続ロッドの前記嵌合溝の開口部の間隔以上であることを特徴とする請求項２に記載のパーティション。
【考案の詳細な説明】
【技術分野】
【０００１】
本考案は、組立式のエピデミック対策用パーティションに関し、より詳しくは、容易に組み立てと解体保管が可能なパーティションに関する。
【背景技術】
【０００２】
様々な病原菌が存在し、世界中であらゆる感染症が人々の生活を脅かしている。感染症を引き起こす病原菌の感染経路は空気感染や接触感染以外にも飛沫感染等多様な経路がある。日常生活において人と人との間で病原菌が感染するリスクを減らすため、従来有効的とされている防護策は、人と人との間の距離を保持し、マスクをし、手洗いをする等の方法により自分と他者を保護するものである。
【考案の概要】
【考案が解決しようとする課題】
【０００３】
しかしながら、生活の中では人と人との間にエピデミック対策で要求される十分な空間的距離を保てないことが往々にある。このため、近年エピデミック対策の空間的距離を確保するため、ある公共の場所（例えば、レストラン、室内の会議室等）ではパーティション方式により人と人との間の静的空間及び距離を隔離するエピデミック対策が講じられている。
【０００４】
また、現在のエピデミック対策用パーティションの設置技術は、多くが透明プラスチック板またはアクリル板を利用し、一体成形方式で製造するか、接着方式により完成している。これらエピデミック対策用パーティションの設計思想は緊急使用のみを想定したものであり、製造及び輸送に占める空間及び輸送コスト等の産業上の経済効果を考慮してはいない。エピデミックが終了した後にエピデミック対策用パーティションを保管するための空間の問題、及び、使用時の空間環境の仕切り方の変化が乏しい問題を考慮すると、使用後にすぐに廃棄することになれば物資を浪費し、経済的にも浪費することになった。
【０００５】
そこで、本考案者は上記の欠点が改善可能と考え、鋭意検討を重ねた結果、合理的設計で上記の課題を効果的に改善する本考案の提案に至った。
【０００６】
本考案は、上記問題点に鑑みて成されたものであり、その目的は、容易に組み立てと解体保管が可能な組立式のエピデミック対策用パーティションを提供することにある。
【課題を解決するための手段】
【０００７】
上記目的を達成するための主たる考案は、少なくとも１本の接続ロッドと、少なくとも１枚のパーティション板と、パーティション板の側辺に装設されている少なくとも１つの弾性締結部と、接続ロッドの上端に取り付けられている少なくとも１つのプラグと、を備えるエピデミック対策用のパーティションである。接続ロッドのロッド体には接続ロッドの軸心方向に向けて凹設されている少なくとも１つの嵌合溝が設けられ、接続ロッドのロッド体は軸心が中空である中空ロッド体である。弾性締結部は開口状スロットを有し、弾性締結部の底部の幅は弾性締結部の頂部の幅より広い。プラグの下端に形成された支持部は、接続ロッドの中空ロッド体の上端口を塞ぐ。プラグの外径は接続ロッドの外径以上である。
【考案の効果】
【０００８】
本考案は、パーティションの側辺に装設されている少なくとも１つの弾性締結部によりパーティションの少なくとも１つの側辺を固定する。パーティションの少なくとも１つの側辺に設置されている弾性締結部を少なくとも１本の接続ロッドに凹設されている嵌合溝中に装入し、プラグを接続ロッドの上端に取り付けている。
【０００９】
本明細書及び図面の記載により、少なくとも、以下の事項が明らかとなる。
【図面の簡単な説明】
【００１０】
【図１】本考案の一実施例に係るパーティションの接続ロッドを示す概略構成図である。
【図２】図１のＡ−Ａ線に沿う断面図である。
【図３】本考案の一実施例に係るパーティションのプラグを示す概略構成図である。
【図４】本考案の一実施例に係るパーティションの弾性締結部を示す概略構成図である。
【図５】図４のＢ−Ｂ線に沿う断面図である。
【図６】本考案の接続ロッド、弾性締結部とプラグの組立を示す概略構成図である。
【図７】本考案のパーティションと弾性締結部の組立を示す概略構成図である。
【図８】本考案の第一実施例に係るパーティションを組み合わせた概略断面図である。
【図９】本考案の第二実施例に係るパーティションを組み合わせた概略断面図である。
【図１０】本考案の第三実施例に係るパーティションを組み合わせた概略断面図である。
【図１１】本考案の第四実施例に係るパーティションを組み合わせた概略断面図である。
【図１２】本考案の第五実施例に係るパーティションを組み合わせた概略断面図である。
【図１３】本考案の第三実施例に係るパーティションを組み合わせた状態を模式的に示した使用図である。
【考案を実施するための形態】
【００１１】
以下、本開示の実施形態について図面を用いて説明する。なお、本開示は、下記の実施形態に何ら限定されることはなく、本開示の技術的範囲に属する限り種々の形態を採りうる。
【００１２】
まず、図１〜図６を参照しながら、本考案の組立式のエピデミック対策用パーティションをさらに詳しく説明する。
【００１３】
本考案に係る組立式のエピデミック対策用パーティションは、少なくとも１本の接続ロッド１と、少なくとも１枚のパーティション板２と、パーティション板２の側辺に装設されている少なくとも１つの弾性締結部３と、接続ロッド１の上端に取り付けられている少なくとも１つのプラグ４と、を備えている。
【００１４】
次は、図１、図２及び図６に示すように、接続ロッド１の縦方向ロッド体には接続ロッド１の縦方向軸心方向に向けて凹設されている少なくとも１つの嵌合溝１１が設けられている（図中では４つの嵌合溝が凹設されている例について説明する）。嵌合溝１１の開口部の間隔１１Ａは嵌合溝１１の底部の間隔１１Ｂよりも狭く、嵌合される弾性締結部３が脱出しなくなる。接続ロッド１のロッド体は軸心が中空である中空ロッド体であり、接続ロッド１の中空ロッド体の上端にはプラグ４が取り付けられている。図３に示すように、プラグ４の下端に形成された支持部４１は、接続ロッド１の中空ロッド体の上端口を塞ぐ。プラグ４の外径は接続ロッド１の外径以上であり、嵌合溝１１の上端の溝口を閉塞している。
【００１５】
次は、図４及び図５に示すように、弾性締結部３はパーティション板２の側辺を嵌入して接着固定するための開口状スロット３１を有する（図７参照）。弾性締結部３の底部の幅３Ａは弾性締結部３の頂部の幅３Ｂよりも広い。且つ、弾性締結部３の底部の幅３Ａは接続ロッド１の嵌合溝１１の底部の間隔１１Ｂ以上であり、弾性締結部３の頂部の幅３Ｂは接続ロッド１の嵌合溝１１の開口部の間隔１１Ａ以上である。
【００１６】
図８は２本の接続ロッド１に１枚のパーティション板２を組み合わせた実施例（一）の概略断面図である。図９は２本の接続ロッド１に３枚のパーティション板２を組み合わせた実施例（二）の概略断面図である。図１０は２本の接続ロッド１に５枚のパーティション板２を組み合わせた実施例（三）の概略断面図である。図１１は４本の接続ロッド１に７枚のパーティション板２を組み合わせた実施例（四）の概略断面図である。図１２は４本の接続ロッド１に１１枚のパーティション板２を組み合わせた実施例（五）の概略断面図である。図１３は図１０の実施例（三）を卓上５に設置する概略図である。
【００１７】
本考案の少なくとも１枚のパーティション板２の少なくとも１つの側辺に設置されている弾性締結部を少なくとも１本の接続ロッド１に凹設されている嵌合溝１１に装入し、プラグ４を接続ロッド１の上端に取り付けることにより、卓上を仕切る数量に基づいて適合するエピデミック対策空間を容易に組み立て可能となり、且つ組み立てが簡単であり、解体して保管するのに必要な空間が少なく済み、輸送にかかるコストも低く、実用性に優れ、産業上の経済効果が高いという実用新案の技術的特徴を達成している。
【００１８】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００１９】
１      接続ロッド
１１    嵌合溝
１１Ａ  開口部の間隔
１１Ｂ  底部の間隔
２      パーティション板
３      弾性締結部
３１    開口状スロット
３Ａ    底部の幅
３Ｂ    頂部の幅
４      プラグ
４１    プラグの支持部
【図１】
0003234331.tif 000003
【図２】
0003234331.tif 000004
【図３】
0003234331.tif 000005
【図４】
0003234331.tif 000006
【図５】
0003234331.tif 000007
【図６】
0003234331.tif 000008
【図７】
0003234331.tif 000009
【図８】
0003234331.tif 000010
【図９】
0003234331.tif 000011
【図１０】
0003234331.tif 000012
【図１１】
0003234331.tif 000013
【図１２】
0003234331.tif 000014
【図１３】
0003234331.tif 000015